(57)【特許請求の範囲】
【請求項１】
電気電子部品を収容する電気電子部品収容部を設けた箱本体部と、前記電気電子部品収容部に形成した開口を覆い、かつ、スライド移動によって前記箱本体部に対して着脱する電気電子部品カバーと、を有する電気接続箱において、
前記箱本体部にスライド移動方向に平行に延びるように設けた箱側スライドガイド部と、前記電気電子部品カバーにスライド移動方向に平行に延びるように設けたカバー側スライドガイド部と、を有し、
前記箱側スライドガイド部または前記カバー側スライドガイド部のいずれか一方がスライド移動方向に直線状に延びる凸状のスライドガイド凸部であり、他方がスライド移動方向に直線状に延び、前記スライドガイド凸部を圧入して嵌め込み可能な凹状のスライドガイド溝部であり、
前記カバー側スライドガイド部を前記箱側スライドガイド部に対して圧入しつつスライド移動することによって前記電気電子部品カバーのスライド移動をガイドするスライドガイド部を有する
ことを特徴とする電気接続箱。
【請求項２】
前記スライドガイド部は、
前記スライドガイド凸部または前記スライドガイド溝部のいずれか一方、あるいは、前記スライドガイド凸部および前記スライドガイド溝部の両方をスライド移動方向に直交する方向に複数並設する
ことを特徴とする請求項１に記載の電気接続箱。
【請求項３】
前記スライドガイド部は、
前記スライドガイド凸部がスライド移動方向に直交する断面が三角形状をなし、
前記スライドガイド溝部がスライド移動方向に直交する方向の溝形状が前記スライドガイド凸部に対応した三角形状をなす
ことを特徴とする請求項１または２に記載の電気接続箱。
【請求項４】
前記箱側スライドガイド部またはカバー側スライドガイド部のいずれか一方は、
スライド移動方向での移動区間に部分的に設ける
ことを特徴とする請求項１、２または３に記載の電気接続箱。
【発明の詳細な説明】
【技術分野】
【０００１】
本発明は、電気電子部品を収容した電気部品収容部の開口を電気電子部品カバーによって覆う電気接続箱に関する。
【背景技術】
【０００２】
従来、車両に搭載し、電源から供給した電力を各種電装品に分配供給する電気接続箱は、ヒューズ等の電気電子部品を収容する電気電子部品収容部を設けた箱本体部と、電気電子部品収容部の開口を覆う電気電子部品カバーとを有する。
このような電気接続箱１００は、図８（ａ）に示すように、箱本体部１１０からの電気電子部品カバー１２０の離脱が容易に行えるように電気電子部品カバー１２０の外表面に取手部１２１を突設している。作業者は、この取手部１２１を摘まんで箱本体部１１０から電気電子部品カバー１２０を離脱する。
【０００３】
ところで、車両に搭載する電気接続箱は、設置場所が限られるため、乗員の足元付近に配置されることがある。このような場合、電気電子部品カバーの外表面に突設した取手部を有する電気電子部品カバーでは、図８（ｂ）に示すように、乗員の足に取手部が引っ掛かることによって外力が作用し易くなり、結果的に、電気電子部品カバーが電気電子部品収容部から離脱するおそれがある。
【０００４】
このような問題を解消するため、電気電子部品カバーを離脱するための移動方向を限定したスライド移動方式の電気部品カバーを有してなる電気接続箱が提案されている（例えば、特許文献１参照）。
【０００５】
特許文献１に記載の電気接続箱は、電気電子部品の装着部を設け、この装着部を蓋体で覆うようにした電気接続箱において、接続箱本体の装着部の近傍に、蓋体の取付部をスライド自在に保持する保持部を設け、この保持部に蓋体をスライドさせて装着部を覆うようにしている。
【先行技術文献】
【特許文献】
【０００６】
【特許文献１】特開２００２−１９９５４９号公報
【発明の概要】
【発明が解決しようとする課題】
【０００７】
しかしながら、特許文献１に記載の電気接続箱は、電気電子部品カバーの上面に突設した取手部を有するので、取手部に乗員の足が引っ掛かり、かつ電気電子部品カバーがスライド方向に移動される力が作用した場合、電気電子部品カバーが離脱するおそれがあった。
【０００８】
本発明は、上記に鑑みてなされたものであって、電気電子部品カバーを外部からの接触に対して離脱され難くすることができる電気接続箱を提供することを目的とする。
【課題を解決するための手段】
【０００９】
上述した課題を解決し、目的を達成するために、本発明の請求項１に係る電気接続箱は、電気電子部品を収容する電気電子部品収容部を設けた箱本体部と、前記電気電子部品収容部に形成した開口を覆い、かつ、スライド移動によって前記箱本体部に対して着脱する電気電子部品カバーと、を有する電気接続箱において、前記箱本体部にスライド移動方向に平行に延びるように設けた箱側スライドガイド部と、前記電気電子部品カバーにスライド移動方向に平行に延びるように設けたカバー側スライドガイド部と、を有し、前記箱側スライドガイド部または前記カバー側スライドガイド部のいずれか一方がスライド移動方向に直線状に延びる凸状のスライドガイド凸部であり、他方がスライド移動方向に直線状に延び、前記スライドガイド凸部を圧入して嵌め込み可能な凹状のスライドガイド溝部であり、前記カバー側スライドガイド部を前記箱側スライドガイド部に対して圧入しつつスライド移動することによって前記電気電子部品カバーのスライド移動をガイドするスライドガイド部を有することを特徴とする。
【００１０】
また、本発明の請求項１に係る電気接続箱は、上記の発明において、前記スライドガイド部は、前記箱側スライドガイド部または前記カバー側スライドガイド部のいずれか一方がスライド移動方向に直線状に延びる凸状のスライドガイド凸部であり、他方がスライド移動方向に直線状に延び、前記スライドガイド凸部を圧入して嵌め込み可能な凹状のスライドガイド溝部であることを特徴とする。
【００１１】
また、本発明の請求項２係る電気接続箱は、上記の発明において、前記スライドガイド部は、前記スライドガイド凸部または前記スライドガイド溝部のいずれか一方、あるいは、前記スライドガイド凸部および前記スライドガイド溝部の両方をスライド移動方向に直
交する方向に複数並設することを特徴とする。
【００１２】
また、本発明の請求項３係る電気接続箱は、上記の発明において、前記スライドガイド部は、前記スライドガイド凸部がスライド移動方向に直交する断面が三角形状をなし、前記スライドガイド溝部がスライド移動方向に直交する方向の溝形状が前記スライドガイド凸部に対応した三角形状をなすことを特徴とする。
【００１３】
また、本発明の請求項４係る電気接続箱は、上記の発明において、前記箱側スライドガイド部またはカバー側スライドガイド部のいずれか一方は、スライド移動方向での移動区間に部分的に設けることを特徴とする。
【発明の効果】
【００１４】
本発明の請求項１に係る電気接続箱は、前記スライドガイド部が前記電気電子部品カバーを圧入しつつスライド移動して前記箱本体部に装着することを可能にしているため、電気電子部品カバーを外部からの接触に対して離脱され難くすることができる。
【００１５】
本発明の請求項１に係る電気接続箱は、前記スライドガイド凸部と、前記スライドガイド溝部との凹凸による嵌め合いを調整することによって圧入に必要な押圧力を調整することができる。
【００１６】
本発明の請求項２に係る電気接続箱は、互いに嵌め合う前記スライドガイド凸部と、前記スライドガイド溝部との組み合わせを一つに限定しなくてもよいため、前記電気電子部品カバーを前記箱本体部に装着し易くすることができる。
【００１７】
本発明の請求項３に係る電気接続箱は、前記スライドガイド凸部の頂点と、前記スライドガイド溝部の溝底の頂点との接触具合を調整することによって、圧入のための前記スライドガイド凸部と前記スライドガイド溝部との接触具合を容易に調整することができる。
【００１８】
本発明の請求項４に係る電気接続箱は、スライド移動方向での移動区間の一部で前記カバー側スライドガイド部を前記箱側スライドガイド部に対して圧入すればよいので、前記電気電子部品カバーの圧入による装着性の低下を抑えることができる。
【図面の簡単な説明】
【００１９】
【図１】図１は、本発明の実施例に係る電気接続箱の電気電子部品収容部周辺を示した分解斜視図である。
【図２】図２は、（ａ）が電気電子部品カバーを箱本体部にスライド移動して装着する途中の状態の電気接続箱の斜視図であり、（ｂ）が電気電子部品カバーを箱本体部に装着完了した状態の電気接続箱の斜視図である。
【図３】図３は、（ａ）が箱本体部の外郭と箱本体部に装着した電気電子部品カバーの断面を示した図であり、（ｂ）がスライドガイド凸部およびスライドガイド溝部の接触具合を調整するための寸法設定について説明するための図である。
【図４】図４は、図３（ａ）に示したスライドガイド凸部およびスライドガイド溝部の周辺を拡大した図である。
【図５】図５は、（ａ）が図３に示した電気電子部品カバーの箱本体部への装着に用いたスライドガイド凸部およびスライドガイド溝部とは別の並びのスライドガイド凸部およびスライドガイド溝部を用いて電気電子部品カバーを箱本体部に装着した状態を示した図であり、（ｂ）が（ａ）に示したスライドガイド凸部およびスライドガイド溝部の周辺を拡大した図である。
【図６】図６は、変形例１の電気接続箱の電気電子部品収容部周辺を示した分解斜視図である。
【図７】図７は、（ａ）が箱本体部の外郭と箱本体部に装着した電気電子部品カバーの断面を示した図であり、（ｂ）が一対のスライドガイド壁部と、スライドガイド凸部とを拡大した斜視図である。
【図８】図８は、従来技術を説明するための図である。
【発明を実施するための形態】
【００２０】
以下、図面を参照して、本発明に係る電気接続箱の好適な実施例を詳細に説明する。
【実施例１】
【００２１】
図１は、本発明の実施例に係る電気接続箱の電気電子部品収容部周辺を示した分解斜視図である。
図２は、（ａ）が電気電子部品カバーを箱本体部にスライド移動して装着する途中の状態の電気接続箱の斜視図であり、（ｂ）が電気電子部品カバーを箱本体部に装着完了した状態の電気接続箱の斜視図である。
なお、図２では、ヒューズを図示していない。
図３は、（ａ）が箱本体部の外郭と箱本体部に装着した電気電子部品カバーの断面を示した図であり、（ｂ）がスライドガイド凸部およびスライドガイド溝部の接触具合を調整するための寸法設定について説明するための図である。図４は、図３（ａ）に示したスライドガイド凸部およびスライドガイド溝部の周辺を拡大した図である。図５は、（ａ）が図３に示した電気電子部品カバーの箱本体部への装着に用いたスライドガイド凸部およびスライドガイド溝部とは別の並びのスライドガイド凸部およびスライドガイド溝部を用いて電気電子部品カバーを箱本体部に装着した状態を示した図であり、（ｂ）が（ａ）に示したスライドガイド凸部およびスライドガイド溝部の周辺を拡大した図である。
本発明の実施例に係る電気接続箱１は、例えば、車両に搭載し、電源から供給した電力を各種電装品に分配供給するものである。
【００２２】
この電気接続箱１は、電気電子部品Ｆを収容する電気電子部品収容部１１を設けた箱本体部１０と、電気電子部品収容部１１に形成した開口１１ａを有する。
【００２３】
また、電気接続箱１は、箱本体部１０にスライド移動方向に平行に延びるように設けた箱側スライドガイド部３１と、電気電子部品カバー２０にスライド移動方向に平行に延びるように設けたカバー側スライドガイド部３２と、を有し、カバー側スライドガイド部３２を箱側スライドガイド部３１に対して圧入しつつスライド移動することによって電気電子部品カバー２０のスライド移動をガイドするスライドガイド部３０を有する。
【００２４】
箱本体部１０は、合成樹脂材からなり、電気電子部品収容部１１に電気電子部品として複数のヒューズＦを収容する。
【００２５】
電気電子部品収容部１１は、複数のヒューズＦを整列して収容し、収容した各ヒューズが電気電子部品収容部１１内で不図示の電気回路に接続する。
この電気電子部品収容部１１は、ヒューズＦを挿入するための開口１１ａを矩形状に形成し、この開口１１ａを縁取るように設けた壁１２のうち、スライド移動方向に平行な一対の箱側スライド方向壁１３、１３のそれぞれに箱側スライドガイド部３１を形成する。
一方の箱側スライド方向壁１３に形成した箱側スライドガイド部３１は、他方の箱側スライド方向壁１３に形成した箱側スライドガイド部３１と対で電気電子部品カバー２０のスライド移動をガイドする。
【００２６】
箱側スライドガイド部３１は、スライド移動方向に直線状に延びる凸状のスライドガイド凸部３１ａである。
スライドガイド凸部３１ａは、より具体的には、スライド移動方向に直交する断面が三角形状をなす。
【００２７】
また、スライドガイド凸部３１ａは、スライド移動方向に直交する方向に３つ並設する。
より具体的には、３つのスライドガイド凸部３１ａは、頂点Ｐ１が等間隔、かつ、隣り合うスライドガイド凸部３１ａの間に三角形状の溝を形成するように並設する。
【００２８】
また、各スライドガイド凸部３１ａは、箱側スライド方向壁１３の一端から他端まで延在するように形成する。すなわち、各スライドガイド凸部３１ａは、スライド方向での移動区間のほぼ全域にわたって形成する。
【００２９】
電気電子部品カバー２０は、合成樹脂材からなり、電気電子部品収容部１１の開口１１ａの形状に対応した矩形状の天井壁２１と、スライド移動による箱本体部１０への装着開始側の面を除いて天井壁２１の縁に沿って立設した囲い壁２２と、を有する。
【００３０】
天井壁２１は、上面が一様な平面をなす。このため、電気電子部品カバー２０には、スライド移動するための操作部となる取手を設けていない。
【００３１】
囲い壁２２は、囲い壁２２を形成する壁のうち、スライド移動方向に平行な一対のカバー側スライド方向壁２３、２３のそれぞれにカバー側スライドガイド部３２を形成する。
一方のカバー側スライド方向壁２３に形成したカバー側スライドガイド部３２は、他方のカバー側スライド方向壁２３に形成したカバー側スライドガイド部３２と対で電気電子部品カバー２０のスライド移動をガイドする。
【００３２】
カバー側スライドガイド部３２は、スライド移動方向に直線状に延び、スライドガイド凸部３１ａを圧入して嵌め込み可能な凹状のスライドガイド溝部３２ａである。
スライドガイド溝部３２ａは、より具体的には、スライド移動方向に直交する方向の溝形状がスライドガイド凸部３１ａに対応した三角形状をなす。
【００３３】
また、スライドガイド溝部３２ａは、スライド移動方向に直交する方向に３つ並設する。より具体的には、３つのスライドガイド溝部３２ａは、溝底の頂点Ｐ２が等間隔、かつ、隣り合うスライドガイド溝部３２ａの間に三角形状の凸部を形成するようにして並設する。
【００３４】
このような、箱側スライドガイド部３１と、カバー側スライドガイド部３２とは、図３（ｂ）に示すように、一対のスライドガイド凸部３１ａの頂点Ｐ１の間隔Ｓ１と、一対のスライドガイド溝部３２ａの溝底の頂点Ｐ２の間隔Ｓ２と、を調整することによって、カバー側スライドガイド部を箱側スライドガイド部に対して圧入しつつスライド移動するように設定する。
より具体的には、一対のスライドガイド凸部３１ａの頂点Ｐ１の間隔Ｓ１を一対のスライドガイド溝部３２ａの溝底の頂点Ｐ２の間隔Ｓ２に比して大きく調整する。
また、この間隔Ｓ１と間隔Ｓ２との差の大きさを調整することによって、圧入のためのスライドガイド凸部３１ａとスライドガイド溝部３２ａとの接触具合を調整する。
【００３５】
また、箱側スライドガイド部３１と、カバー側スライドガイド部３２とは、スライドガイド凸部３１ａおよびスライドガイド溝部３２ａをスライド移動方向に直交方向に複数並設しているので、図５に示すように、図３および図４とは異なる組み合わせでスライドガイド凸部３１ａおよびスライドガイド溝部３２ａを嵌め合わせても電気電子部品カバー２０を箱本体部１０に装着することができる。
【００３６】
次に、電気電子部品カバー２０を箱本体部１０に装着する手順と各部の作用について説明する。
まず、作業者は、電気電子部品カバー２０の装着開始側の面を箱本体部１０に向け、箱本体部１０の一対のスライドガイド凸部３１ａ、３１ａと電気電子部品カバー２０の一対のスライドガイド溝部３２ａ、３２ａとの端部を嵌め合わせた後、電気電子部品カバー２０をスライド移動方向に移動開始する（図２（ａ）参照）。
【００３７】
その後、作業者は、電気電子部品カバー２０をスライド移動方向にさらに移動し、電気電子部品カバーを箱本体部に装着完了する（図２（ｂ）参照）。
このとき、電気電子部品カバー２０は、スライドガイド凸部３１ａとスライドガイド溝部３２ａとによるスライド移動方向へのガイドが開始されてから装着完了位置に到達するまで、スライドガイド溝部３２ａをスライドガイド凸部３１ａに対してスライド移動方向に圧入し続ける。
ここで、この圧入に必要な押圧力は過大にならないように調整しているため、作業性に支障をきたすことはない。
また、箱本体部１０に装着完了した電気電子部品カバー２０は、圧入することによってスライドガイド溝部３２ａとスライドガイド凸部３１ａと嵌め合わされているので、箱本体部１１に適当な保持力を有して保持される。
なお、電気電子部品カバー２０を箱本体部１０から離脱する場合、例えば、作業者は、電気電子部品カバー２０の一対のカバー側スライド方向壁２３、２３を掴んで、電気電子部品カバー２０を離脱する方向にスライド移動する。
【００３８】
本発明の実施例に係る電気接続箱１は、スライドガイド部３０が電気電子部品カバー２０を圧入しつつスライド移動して箱本体部１０に装着することを可能にしているため、電気電子部品カバー２０を外部からの接触に対して離脱され難くすることができる。
【００３９】
また、本発明の実施例に係る電気接続箱１は、スライドガイド凸部３１ａと、スライドガイド溝部３２ａとの凹凸による嵌め合いを調整することによって圧入に必要な押圧力を調整することができる。
【００４０】
また、本発明の実施例に係る電気接続箱１は、互いに嵌め合うスライドガイド凸部３１ａと、スライドガイド溝部３２ａとの組み合わせを一つに限定しなくてもよいため、電気電子部品カバー２０を箱本体部１０に装着し易くすることができる。
【００４１】
また、本発明の実施例に係る電気接続箱１は、スライドガイド凸部３１ａの頂点Ｐ１と、スライドガイド溝部３２ａの溝底の頂点Ｐ２との接触具合を調整することによって、圧入のためのスライドガイド凸部３１ａとスライドガイド溝部３２ａとの接触具合を容易に調整することができる。
（変形例１）
【００４２】
次に、図６を用いて本発明の実施例に係る電気接続箱１の変形例１について説明する。
図６は、変形例１の電気接続箱２の電気電子部品収容部１１周辺を示した分解斜視図である。
この変形例１の電気接続箱２は、箱側スライドガイド部３１をスライド移動方向での移動区間に部分的に設ける点で実施例の電気接続箱１と異なる。
なお、その他の構成は実施例と同様であり、実施例と同一構成部分には同一符号を付している。
【００４３】
電気接続箱２は、スライドガイド凸部３１ａをスライド移動方向での移動区間に部分的に設ける。
各スライドガイド凸部３１ａは、一対の箱側スライド方向壁１３、１３のスライド移動方向手前側の端部、および、奥側の端部に形成する。
すなわち、スライドガイド凸部３１ａは、電気電子部品収容部１１の開口１１ａを縁取るように設けた外形矩形状の壁１２の四隅に設ける。これにより、実施例の電気接続箱１に比してスライド移動方向でスライドガイド溝部とスライドガイド凸部とを圧入しながら嵌め合わせる距離を小さくしつつ、箱本体部１０による電気電子部品カバー２０の保持力を低下させないようになっている。
【００４４】
この変形例１の電気接続箱２は、実施例の電気接続箱１と同様な効果を奏するとともに、スライド移動方向での移動区間の一部でカバー側スライドガイド部３２としてのスライドガイド溝部３２ａを箱側スライドガイド部３１としてのスライドガイド凸部３１ａに対して圧入すればよいので、電気電子部品カバー２０の圧入による装着性の低下を抑えることができる。
【００４５】
なお、この変形例１の電気接続箱２は、スライドガイド凸部３１ａをスライド移動方向での移動区間に部分的に設けるものを例示したが、これに限らず、箱側スライドガイド部３１またはカバー側スライドガイド部３２のいずれか一方をスライド移動方向での移動区間に部分的に設けていればよい。すなわち、スライドガイド凸部３１ａでなく、スライドガイド溝部３２ａをスライド移動方向での移動区間に部分的に設けてもよい。
（変形例２）
【００４６】
次に、図７を用いて本発明の実施例に係る電気接続箱１の変形例２について説明する。
図７は、（ａ）が箱本体部１０の外郭と箱本体部に装着した電気電子部品カバー２０の断面を示した図であり、（ｂ）が一対のスライドガイド壁部３１ｂ、３１ｂと、スライドガイドリブ３２ｂとを拡大した斜視図である。
この変形例２の電気接続箱３は、スライドガイド部４０が凸部と溝部との嵌め合いによって電気電子部品カバーをスライド移動方向にガイドしていない点で実施例の電気接続箱１と異なる。
なお、その他の構成は実施例と同様であり、実施例と同一構成部分には同一符号を付している。
【００４７】
スライドガイド部４０は、箱本体部１０にスライド移動方向に平行に延びるように設けた箱側スライドガイド部３１と、電気電子部品カバーにスライド移動方向に平行に延びるように設けたカバー側スライドガイド部３２と、を有する。
【００４８】
箱側スライドガイド部３１は、スライド移動方向に平行な一対の箱側スライド方向壁１３、１３のそれぞれに形成する。
この箱側スライドガイド部３１は、スライド移動方向に平行に延びて向かい合う一対のスライドガイド壁部３１ｂ、３１ｂを有する。
【００４９】
一対のスライドガイド壁部３１ｂ、３１ｂは、電気電子部品カバー２０の後述するスライドガイドリブ３２ｂを圧入しつつスライド移動するようになっている。
より具体的には、一対のスライドガイド壁部３１ｂ、３１ｂは、スライドガイドリブ３２ｂを挟み込む圧力を加えつつ、電気電子部品カバー２０がスライド方向に移動できるように向かい合う面をガイド移動方向に連続した山形に形成する。
すなわち、一対のスライドガイド壁部３１ｂ、３１ｂは、向かい合う面にスライドガイドリブ３２ｂを挟持する山の頂点をスライド移動方向に間隔を空けて形成する。
これにより、電気電子部品カバー２０のスライド移動を可能にしつつ、電気電子部品カバー２０を箱本体部１０に保持するための保持力を得ることができるようになっている。
【００５０】
カバー側スライドガイド部３２は、一対のカバー側スライド方向壁２３、２３のそれぞれにカバー側スライドガイド部３２を形成している。
カバー側スライドガイド部３２は、スライド移動方向に直線状に延び、一対のスライドガイド壁部３１ｂ、３１ｂ圧入して嵌め込み可能な凸状のスライドガイドリブ３２ｂである。
【００５１】
この変形例２の電気接続箱３は、スライドガイド部４０が電気電子部品カバー２０を圧入しつつスライド移動して箱本体部１０に装着することを可能にしているため、実施例１の電気接続箱１と同様に電気電子部品カバー２０を外部からの接触に対して離脱され難くすることができる。
【００５２】
なお、本発明の実施例に係る電気接続箱１、２、３は、スライドガイド部３０、４０が一対の箱側スライドガイド部３１、３１、および、一対のカバー側スライドガイド部３２、３２を有するものを例示したが、これに限らず、スライドガイド部３０、４０は、カバー側スライドガイド部を箱側スライドガイド部に対して圧入しつつスライド移動することによって電気電子部品カバー２０のスライド移動をガイドするようになっていればよい。すなわち、箱側スライドガイド部３１、および、カバー側スライドガイド部３２のそれぞれは対で設けなくても構わない。
【００５３】
また、本発明の実施例に係る電気接続箱１、２、３は、電気電子部品カバー２０にスライド移動するための操作部となる取手を設けないものを例示したが、取手を設けても構わない。
【００５４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５５】
１、２、３      電気接続箱
１０            箱本体部
１１            電気電子部品収容部
１１ａ          開口
１２            壁
１３            箱側スライド方向壁
２０            電気電子部品カバー
２１            天井壁
２２            囲い壁
２３            カバー側スライド方向壁
３０、４０      スライドガイド部
３１            箱側スライドガイド部
３１ａ          スライドガイド凸部（箱側スライドガイド部）
３１ｂ          スライドガイド壁部（箱側スライドガイド部）
３２            カバー側スライドガイド部
３２ａ          スライドガイド溝部（カバー側スライドガイド部）
３２ｂ          スライドガイドリブ（カバー側スライドガイド部）
Ｆ              ヒューズ（電気電子部品）
【図１】
0006297948.tif 000002
【図２】
0006297948.tif 000003
【図３】
0006297948.tif 000004
【図４】
0006297948.tif 000005
【図５】
0006297948.tif 000006
【図６】
0006297948.tif 000007
【図７】
0006297948.tif 000008
【図８】
0006297948.tif 000009